(57)【要約】【課題】簡易な操作の利便性と、詳細な操作の利便性とをユーザの要望に応じて使い分けることが可能なＰＣ−ファックス機能を提供することを課題とする。【解決手段】ＰＣ２にインストールされているファックスドライバ１０３のプロパティ画面９３には、シンプルモードとアドバンスモードの選択メニューが用意されている。シンプルモードが選択されると、ＰＣ２に格納されているプログラムにより送信ダイアログ９４が表示される。送信ダイアログ９４においてファックス送信に関わる必要最小限の項目が設定される。アドバンスモードが選択されると、ＰＣ２においてＷＥＢブラウザ１０２が起動し、デジタル複合機３から取得したＷＥＢコンテンツに基づいてファックス送信詳細設定画面９５が表示される。ファックス送信詳細設定画面９５においてファックス送信に関わる詳細な項目が設定される。【選択図】図２
2010087742.tif 000002
【特許請求の範囲】
【請求項１】
ネットワーク経由でファックス装置にファックス送信を指示する通信端末であって、
前記通信端末に格納されているファックスドライバの属性設定画面を前記通信端末が備えるモニタに表示する属性設定画面表示部と、
前記属性設定画面において第１モードが選択されたとき、前記通信端末に格納されているファックス送信設定に関わるデータを用いて第１送信設定画面を前記モニタに表示させる第１送信設定画面表示部と、
前記属性設定画面において第２モードが選択されたとき、前記ファックス装置に格納されているファックス送信設定に関わるデータをネットワーク経由で取得することで第２送信設定画面を前記モニタに表示させる第２送信設定画面表示部と、
前記第１あるいは第２送信設定画面において受け付けた送信指示に応答して前記ファックス装置にファックス送信指示を送信する送信指示部と、
を備えることを特徴とする通信端末。
【請求項２】
請求項１に記載の通信端末において、
前記第１送信設定画面では、ファックス送信に関わる第１設定項目を設定可能であり、前記第２送信設定画面では、前記第１設定項目に加えてファックス送信に関わる追加設定項目を設定可能であることを特徴とする通信端末。
【請求項３】
請求項１または請求項２に記載の通信端末において、
前記第２送信設定画面表示部は、
前記ファックス装置に格納されているファックス送信設定に関するＷＥＢコンテンツデータを取得し、前記通信端末に格納されているＷＥＢブラウザを利用することで前記第２送信設定画面を表示するＷＥＢ画面表示部、
を含むことを特徴とする通信端末。
【請求項４】
ネットワーク経由でファックス装置にファックス送信を指示するためのパラメータを設定するプログラムであって、前記プログラムは通信端末にインストールされることにより、前記通信端末を、
ファックスドライバの属性設定画面を前記通信端末が備えるモニタに表示する属性設定画面表示部、
前記属性設定画面において第１モードが選択されたとき、第１送信設定画面を前記モニタに表示する第１送信設定画面表示部、
前記属性設定画面において第２モードが選択されたとき、前記ファックス装置に格納されているファックス送信設定に関わるＷＥＢコンテンツデータをネットワーク経由で取得し、取得したＷＥＢコンテンツデータをＷＥＢブラウザに与えて、前記ＷＥＢブラウザに第２送信設定画面を前記モニタに表示するよう指示する第２送信設定画面表示部、
として動作せることを特徴とするプログラム。
【発明の詳細な説明】
【技術分野】
【０００１】
本発明は、ファックス装置に接続された通信端末からネットワーク経由でファックス送信指示を行う技術に関する。
【背景技術】
【０００２】
ＰＣ（Ｐｅｒｓｏｎａｌ  Ｃｏｍｐｕｔｅｒ）からネットワーク経由でファックス装置にファックス送信指示を行ういわゆるＰＣ−ファックス機能がある。ユーザは、各種アプリケーションソフトウェアで作成したドキュメントなどを、ネットワーク経由でそのままファックス送信することができる。ＰＣ−ファックス機能は、一旦、ＰＣにおいてドキュメントを紙出力する必要がないので省資源というメリットがある。また、各種アプリケーションソフトウェアからドキュメントデータをそのままファックス装置に転送してファックス送信を実行するので、画質劣化の少ない高品質のファックスデータを送信できるというメリットもある。
【０００３】
ＰＣ−ファックス機能を利用するために、ＰＣにはファックスドライバがインストールされる。ユーザは、アプリケーションソフトウェアから印刷を実行するのと同じ操作性でファックス送信を行うことができる。
【０００４】
ユーザは、ドキュメントの編集が終了すると、アプリケーションソフトウェアから印刷処理を実行する。ここで、印刷ダイアログが表示されるので、ユーザはプリンタを選択する操作と同様の操作でファックスドライバを選択する。そして、ファックスドライバのプロパティ画面で用紙設定や解像度設定などを行う。このプロパティ画面の設定により、ファックス送信される画像データのパラメータが設定される。
【０００５】
続いてファックス送信の設定処理に移行する。ＰＣの画面上にファックス送信設定画面が表示され、この送信設定画面において送信先の電話番号など送信パラメータが設定される。
【０００６】
そして、ファックス送信設定画面において送信実行ボタンが選択されると、ＰＣからファックス装置にネットワーク経由でファックス送信データや送信パラメータが転送され、ファックス装置から相手ファックス装置にファック送信が実行される。
【０００７】
【特許文献１】特開２００４−１２００８８号公報
【発明の開示】
【発明が解決しようとする課題】
【０００８】
上述したファックス送信設定画面は、ファックスドライバと同様、ＰＣにインストールされているプログラムを実行することで呼び出される。一般には、このプログラムは各ＰＣにインストールされる性格上、汎用的な簡易な機能を備えることになる。したがって、ファックス送信設定画面には必要最小限の送信設定項目が用意されており、ユーザは簡易な操作で設定操作を行うことができる。
【０００９】
しかし、送信パラメータとしてさらに詳細なパラメータを設定したいという要望もある。また、ファックス送信設定画面の変更、項目追加などがフレキシブルに行える仕組みが構築されれば便利である。その実現方法の一つとしてＷＥＢを利用する方法が挙げられる。ファックス装置側にファックス送信設定画面に関するコンテンツデータを格納しておき、ＰＣで起動したＷＥＢブラウザでファックス送信設定画面を表示するという方法である。
【００１０】
上記特許文献１では、クライアントが複合機からＷＥＢページを取得する。そして、クライアントで起動したＷＥＢブラウザ上でファックス番号などを入力する方法がとられている。
【００１１】
ＷＥＢを利用することで、ファックス装置側でファックス送信パラメータの設定項目を設定できるというメリットがある。ドライバプログラムに含まれる送信設定画面については、設定項目の変更や画面変更を行うためには、プログラムの変更が必要であり、ある程度のコストと時間を要することになる。したがって、ドライバプログラムに含まれる送信設定画面は上述したように汎用的、簡易的なものにならざるを得ない。しかし、ＷＥＢを利用することで、仕様変更が行い易いというメリットがあり、送信設定画面の変更や項目追加を比較的簡単に行うことができる。そして、ユーザの要望に合わせた詳細な設定項目についても対応し易くなる。
【００１２】
しかし、設定項目が豊富であればユーザにとって利便性が高いとは言えないケースもある。複雑な設定は不要であり、簡易な操作でファックス送信が可能となることを望むユーザもいる。
【００１３】
また、特別なシステム構成としてサーバ経由でＰＣ−ファックス機能を利用しているユーザもある。つまり、ＰＣにおいてファックス送信指示が発生すると、ファックス送信指示がサーバを経由してファックス装置に送信される形態である。
【００１４】
このような形態の場合、ファックス装置にＰＣ−ファックス送信を直接指示しているのはサーバであるため、サーバ上にＷＥＢブラウザが起動され、サーバ上に詳細なファックス送信設定画面が表示されることになる。実際にファックス送信指示を要求しているユーザは、ＰＣを操作しているわけであるから、別の場所のサーバにファックス送信設定画面が表示されるのでは、利便性が悪い。この問題は、ＰＣ−ファックス機能の仕様上の問題であり、設計変更で対応することも可能であるが、その設定変更にかかるコストや時間を考慮すると、現状の仕様のままでこの問題を解決したい。
【００１５】
そこで、本発明は前記問題点に鑑み、簡易な操作の利便性と、詳細な操作の利便性とをユーザの要望に応じて使い分けることが可能なＰＣ−ファックス機能を提供することを課題とする。
【課題を解決するための手段】
【００１６】
上記課題を解決するため、請求項１記載の発明は、ネットワーク経由でファックス装置にファックス送信を指示する通信端末であって、前記通信端末に格納されているファックスドライバの属性設定画面を前記通信端末が備えるモニタに表示する属性設定画面表示部と、前記属性設定画面において第１モードが選択されたとき、前記通信端末に格納されているファックス送信設定に関わるデータを用いて第１送信設定画面を前記モニタに表示させる第１送信設定画面表示部と、前記属性設定画面において第２モードが選択されたとき、前記ファックス装置に格納されているファックス送信設定に関わるデータをネットワーク経由で取得することで第２送信設定画面を前記モニタに表示させる第２送信設定画面表示部と、前記第１あるいは第２送信設定画面において受け付けた送信指示に応答して前記ファックス装置にファックス送信指示を送信する送信指示部と、を備えることを特徴とする。
【００１７】
請求項２記載の発明は、請求項１に記載の通信端末において、前記第１送信設定画面では、ファックス送信に関わる第１設定項目を設定可能であり、前記第２送信設定画面では、前記第１設定項目に加えてファックス送信に関わる追加設定項目を設定可能であることを特徴とする。
【００１８】
請求項３記載の発明は、請求項１または請求項２に記載の通信端末において、前記第２送信設定画面表示部は、前記ファックス装置に格納されているファックス送信設定に関するＷＥＢコンテンツデータを取得し、前記通信端末に格納されているＷＥＢブラウザを利用することで前記第２送信設定画面を表示するＷＥＢ画面表示部、を含むことを特徴とする。
【００１９】
請求項４記載の発明は、ネットワーク経由でファックス装置にファックス送信を指示するためのパラメータを設定するプログラムであって、前記プログラムは通信端末にインストールされることにより、前記通信端末を、ファックスドライバの属性設定画面を前記通信端末が備えるモニタに表示する属性設定画面表示部、前記属性設定画面において第１モードが選択されたとき、第１送信設定画面を前記モニタに表示する第１送信設定画面表示部、前記属性設定画面において第２モードが選択されたとき、前記ファックス装置に格納されているファックス送信設定に関わるＷＥＢコンテンツデータをネットワーク経由で取得し、取得したＷＥＢコンテンツデータをＷＥＢブラウザに与えて、前記ＷＥＢブラウザに第２送信設定画面を前記モニタに表示するよう指示する第２送信設定画面表示部、として動作せることを特徴とする。
【発明の効果】
【００２０】
本発明の通信端末は、ファックスドライバの属性設定画面において第１モードが選択されたとき、通信端末に格納されているファックス送信設定に関わるデータを用いて第１送信設定画面をモニタに表示する。また、属性設定画面において第２モードが選択されたとき、ファックス装置に格納されているファックス送信設定に関わるデータをネットワーク経由で取得することで第２送信設定画面をモニタに表示する。
【００２１】
本発明によれば、ユーザの要望に応じてファックス送信の送信パラメータを設定するための画面を使い分けることができる。
【００２２】
第１モードにおいては、通信端末に格納されているデータを利用するので、汎用的で必要最小限の設定項目を用意すれば、ユーザは、簡易な操作でＰＣ−ファックス機能を利用できる。
【００２３】
第２モードにおいては、ファックス装置に格納されているデータを利用するので、詳細な設定項目を用意することができる。ユーザは、ファックス送信の目的に応じて、送信パラメータを細かに設定することができる。
【００２４】
また、ファックス装置に格納されているＷＥＢコンテンツデータを利用して、ファックス送信詳細設定画面を構成するので、設定画面の仕様変更に柔軟に対応できる。
【発明を実施するための最良の形態】
【００２５】
＜システムの全体構成＞
以下、図面を参照しつつ本発明の実施の形態について説明する。図１は、実施の形態にかかるファックス通信システムの全体図である。
【００２６】
ＬＡＮ（Ｌｏｃａｌ  Ａｒｅａ  Ｎｅｔｗｏｒｋ）１には、複数のＰＣ２，２・・・が接続されている。ＰＣ２は、ユーザが利用する端末である。また、ＬＡＮ１には、デジタル複合機３が接続されている。デジタル複合機３は、１台でファックス機能、プリンタ機能、コピー機能、スキャナ機能などを備える多機能装置である。
【００２７】
このような構成のＬＡＮ１が例えばオフィスのフロアに設置される。各ユーザは、デスクのＰＣ２からＬＡＮ１経由でデジタル複合機３を共同で利用することができる。たとえば、ユーザは、デスクのＰＣ２からネットワーク経由で印刷処理を実行することが可能である。
【００２８】
ユーザがＬＡＮ１経由でデジタル複合機３を利用する一つの形態として、ＰＣ−ファックス機能がある。ユーザは、デスクのＰＣ２から直接ＬＡＮ１経由でデジタル複合機３を利用してファックス送信を行うことが可能である。
【００２９】
デジタル複合機３は電話回線５に接続されており、ＰＣ２からＰＣ−ファックス機能を利用したファックス送信指示を受けると、電話回線５を介して他のデジタル複合機７などにファックス送信を実行する。
【００３０】
また、ＬＡＮ１は、ルータ４を介してインターネット６に接続されている。デジタル複合機３は、ＰＣ２からＰＣ−ファックス機能を利用したファックス送信指示を受けると、インターネット６経由で他のデジタル複合機８などにインターネットファックス送信を実行する。
【００３１】
＜通信端末の構成＞
図１に示すように、ＰＣ２は、ＣＰＵ（Ｃｅｎｔｒａｌ  Ｐｒｏｃｅｓｓｉｎｇ  Ｕｎｉｔ）２１、メモリ２２、通信部２３、操作部２４、モニタ２５、記憶装置２６を備えている。
【００３２】
ＣＰＵ２１は、ＰＣ２の全体制御を行う。メモリ２２は、ＲＡＭ（Ｒａｎｄｏｍ  Ａｃｃｅｓｓ  Ｍｅｍｏｒｙ）であり、ＣＰＵ２１が各種のプログラムを実行する際のワークエリアとして利用される。通信部２３は、ＬＡＮ１に接続されており、ＬＡＮ１に接続された他のＰＣ２やデジタル複合機３とＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのプロトコルを利用した通信を行う。
【００３３】
操作部２４は、キーボード、マウスなどから構成される。モニタ２５は、たとえば液晶モニタなどで構成される。記憶装置２６は、たとえばハードディスクなどで構成される。
【００３４】
記憶装置２６には、アプリケーションプログラム１０１、ＷＥＢブラウザ１０２、ファックスドライバ１０３などが格納されている。アプリケーションプログラム１０１は、たとえば文書作成ソフトウェアや表計算ソフトウェアなどである。ファックスドライバ１０３は、ＰＣ−ファックス機能を実行するためのプログラムである。ファックスドライバ１０３は、アプリケーションプログラム１０１から呼び出され、アプリケーションプログラム１０１において作成された文書ファイルなどのデータを送信パラメータとともに、デジタル複合機３に送信する。
【００３５】
ファックスドライバ１０３は、デジタル複合機３のメーカーによって供給されているドライバプログラムである。デジタル複合機３を購入したユーザには、たとえばＣＤ−ＲＯＭに格納されたファックスドライバ１０３が提供される。あるいは、ネットワーク経由でファックスドライバ１０３がユーザに提供される。ユーザは、ＰＣ２にファックスドライバ１０３をインストールすることで、デジタル複合機３を利用したＰＣ−ファックス機能を実行可能となる。
【００３６】
ファックスドライバ１０３は、アプリケーションプログラム１０１の印刷処理プログラムから呼び出されるのが一般的である。ユーザは、アプリケーションプログラム１０１を利用して文書作成などを行った後、アプリケーションプログラム１０１のメニューから印刷処理を選択する。
【００３７】
ＰＣ２のモニタ２５に印刷ダイアログが表示されると、ユーザは、プリンタを選択するのと同様の操作で、ファックスドライバを選択することが可能である。これにより、ユーザは、アプリケーションプログラム１０１で作成した文書などを印刷するのと同様の操作性でＰＣ−ファックス機能を利用することができる。
【００３８】
＜画面遷移＞
次に、図２を参照しながら、本実施の形態におけるＰＣ−ファックス機能を利用する場合の画面遷移について説明する。
【００３９】
図２に示すように、まず、モニタ２５には、アプリケーションプログラム１０１の編集画面９１が表示されている。編集画面９１は、たとえば文書作成画面や表作成画面などである。ユーザは、操作部２４を操作して、この編集画面９１において文書の編集作業などを行う。
【００４０】
次に、ユーザは、編集画面９１において印刷メニューを選択する。この操作に応答して、モニタ２５には、印刷ダイアログ９２が表示される。
【００４１】
印刷ダイアログ９２では、プリンタの選択（プリンタドライバの選択）、印刷範囲の選択、印刷部数の選択などの設定を行うことができる。ユーザは、印刷ダイアログ９２で、それらの設定を行った上でＯＫボタンを選択することで印刷指示を行う。これにより、印刷処理が実行される。
【００４２】
ユーザは、印刷ダイアログ９２のプリンタ選択メニューにおいて、ファックスドライバを選択することもできる。ファックスドライバが選択されることでＰＣ−ファックス機能を利用可能な状態となる。印刷ダイアログ９２でファックスドライバを選択した上でＯＫボタンを選択することで、ＰＣ−ファックス機能に関わる送信パラメータの設定処理に移行する。
【００４３】
ユーザは、印刷ダイアログ９２のプリンタ選択メニューにおいてファックスドライバを選択した状態で、ファックスドライバのプロパティ画面９３を表示させることもできる。たとえば、印刷ダイアログ９２においてファックスドライバを選択した上で、プロパティボタンを選択することでプロパティ画面９３を表示させることができる。
【００４４】
図３および図４は、ファックスドライバのプロパティ画面９３を示す図である。プロパティ画面９３は、この例では、「用紙」タグと「ＦＡＸ設定」タグから構成されている。図３は、「用紙」タグが選択された状態のプロパティ画面９３を示す。図４は、「ＦＡＸ設定」タグが選択された状態のプロパティ画面９３を示す。
【００４５】
「用紙」タグが選択された状態で、プロパティ画面９３では、「原稿サイズ」、「原稿の向き」、「拡大／縮小率」、「用紙サイズ」、「解像度」などが設定可能である。これら設定を行うことで、ユーザはファックス送信の対象となる画像データの設定を行うことができる。
【００４６】
「ＦＡＸ設定」タグが選択された状態で、プロパティ画面９３では、「モード」、「実行種別」、「送信文書一覧表示」などが設定可能である。
【００４７】
モード設定では、ユーザは、「シンプルモード」と「アドバンスモード」のいずれかを選択可能である。シンプルモードとは、ファックス送信の送信パラメータの設定として必要最小限の項目だけが設定可能なモードである。アドバンスモードとは、ファックス送信の送信パラメータの設定として詳細な項目が設定可能なモードである。
【００４８】
実行種別設定では、ＰＣ−ファックス送信以外に、アプリケーションデータをユーザボックスや共有ボックスに格納する処理を選択可能である。ユーザボックスや共有ボックスは、デジタル複合機３のハードディスクやＬＡＮ１に接続されたファイルサーバのハードディスクなどに設定される。ただし、実行種別設定は、アドバンスモードでのみ設定可能である。モード設定においてシンプルモードが選択された場合には、実行種別設定メニューがグレーアウトされる。
【００４９】
送信文書一覧表示設定は、ＰＣ−ファックス送信の実行直後に、送信文書一覧を表示するか否かの設定である。ただし、送信文書一覧表示設定は、アドバンスモードでのみ設定可能である。モード設定においてシンプルモードが選択された場合には、送信文書一覧表示設定メニューがグレーアウトされる。
【００５０】
ユーザは、「用紙」タグおよび「ＦＡＸ設定」タグにおいて必要な項目の設定を終えると、ＯＫボタンを選択する。これにより、ファックスドライバのプロパティ画面９３が閉じられ、再び印刷ダイアログ９２に画面が遷移する。そして、さらにユーザが印刷ダイアログ９２においてＯＫボタンを選択することにより、次のファックス送信の送信パラメータ設定処理に移行する。
【００５１】
本実施の形態においては、ファックス送信の送信パラメータを設定するための異なる２つの画面が用意されている。ユーザは、２つの画面のうち、いずれかの画面を利用してＰＣ−ファックスを実行することができる。
【００５２】
まず、１つ目の画面について説明する。ファックスドライバのプロパティ画面９３において、シンプルモードが選択されている場合には、図２および図５に示すように、ファックス送信ダイアログ９４が表示される。
【００５３】
ファックス送信ダイアログ９４は、ファックスドライバ１０３に含まれているプログラムあるいはファックスドライバ１０３に付属するプログラムが提供するユーザインタフェースである。つまり、ファックス送信ダイアログ９４は、ＰＣ２にインストールされているプログラムから起動されるユーザインタフェースである。
【００５４】
ファックス送信ダイアログ９４においては、ファックス送信の設定項目として必要最小限の項目が設定可能となっている。必要最小限の項目としては、たとえば、図５に示すように、宛先設定メニュー９４１、送付状設定（カバーページ設定）メニュー９４２などが用意されている。
【００５５】
宛先設定メニュー９４１では、ファックス送信あるいはインターネットファックス送信の宛先が設定される。ファックス送信についてはファックス番号を設定可能であり、インターネットファックス送信についてはメールアドレスを設定可能である。ユーザは、ファックス番号やメールアドレスを、アドレス入力欄に直接入力することが可能であり、アドレス帳から呼び出して入力することも可能である。
【００５６】
送付状設定メニュー９４２では、まず、送付状を使用するか否かの設定が可能である。さらに、送付状を使用する場合には、送付状に記載する送信元情報や送信先情報が設定可能である。送信元情報や送信先情報には、会社名や名前などを直接入力することが可能である。
【００５７】
また、送付状設定メニュー９４２には、件名入力欄や要件入力欄が用意されている。件名入力欄において、ユーザは、ファックス送信の件名を直接入力することが可能である。また、要件入力欄において、ユーザは、送付状に記載するメッセージなどを直接入力することが可能である。
【００５８】
２つ目の画面について説明する。ファックスドライバ１０３のプロパティ画面９３において、アドバンスモードが選択されている場合には、図２および図６に示すように、ファックス送信詳細設定画面９５が表示される。ファックス送信詳細設定画面９５は、ＷＥＢブラウザ１０２を利用して表示されるユーザインタフェースである。
【００５９】
ファックスドライバ１０３のプロパティ画面９３において、アドバンスモードが選択された上で、印刷ダイアログ９２においてＯＫボタンが選択された場合、ファックスドライバ１０３は、ＷＥＢブラウザ１０２を起動する。ファックスドライバ１０３は、ＷＥＢブラウザ１０２を起動させ、デジタル複合機３とＨＴＴＰ（Ｈｙｐｅｒ  Ｔｅｘｔ  Ｔｒａｎｓｆｅｒ  Ｐｒｏｔｏｃｏｌ）を用いた通信を行いデジタル複合機３からファックス送信詳細設定画面用のＷＥＢコンテンツデータを取得する。
【００６０】
デジタル複合機３ではＷＷＷサーバが起動しており、デジタル複合機３内の図示せぬ記憶装置にファックス送信詳細設定画面用のＷＥＢコンテンツデータが格納されている。これにより、ＰＣ２のモニタ２５には、ＷＥＢブラウザ１０２が起動し、ファックス送信詳細設定画面９５が表示される。
【００６１】
ファックス送信詳細設定画面９５においては、ファックス送信の設定項目のうち必要最小限の項目に加えてさらに詳細な設定項目が用意されている。図６に示すように、ファックス送信詳細設定画面９５には、宛先詳細設定メニュー９５１と送付状詳細設定メニュー９５２とが用意されている。
【００６２】
宛先詳細設定メニュー９５１では、たとえば、グループアドレス情報指定など、多彩なアドレス指定が可能である。また、アドレス帳からの検索機能にも多様な検索機能が用意されている。
【００６３】
送付状詳細設定メニュー９５２では、たとえば、多様な送付状のフォーマットが用意されており、それらの中から好みの送付状を選択可能である。さらには、送付状のフォーマットを編集できる機能があってもよい。また、送付状に記載する要件についても、あらかじめ多様な例文が用意されており、その例文から目的に応じたメッセージを選択することができる。
【００６４】
さらには、図に示すように、付加機能設定メニュー９５３が用意された別ウィンドウが起動するようになっていてもよい。
【００６５】
本実施の形態においては、シンプルモードにおいて設定可能な項目、アドバンスモードにおいて設定可能な項目を例示したが、これらは一例であり、特に限定されるものではない。シンプルモードにおいては、必要最小限の項目が設定される場合を例に説明したが、シンプルモードにおいても、ある程度詳細な設定が可能となっていてもよいし、付加的な項目が設定可能であってもよい。
【００６６】
＜利用方法＞
上述したように本実施の形態においては、ファックスドライバ１０３のプロパティ画面９３においてシンプルモードとアドバンスモードとを選択可能とした。シンプルモードが選択された場合には、ＰＣ２に格納されているプログラムによって用意された汎用的かつ簡易的なファックス送信ダイアログ９４が表示される。アドバンスモードが選択された場合には、ＷＥＢブラウザ１０２が起動し、デジタル複合機３に格納されているＷＥＢコンテンツデータを取得することで、ファックス送信詳細設定画面９５が表示される。
【００６７】
ユーザは、複雑な設定は不要であり、簡易な設定操作で迅速にＰＣ−ファックス機能を利用したいのであれば、シンプルモードを選択しておけばよい。ファックス送信ダイアログ９４には、必要最小限の設定項目が表示されているので、初心者であっても設定操作が行い易い。
【００６８】
ユーザは、ＰＣ−ファックス機能を利用するにあたって、より詳細に送信設定を行いたいのであればアドバンスモードを選択しておけばよい。ファックス送信詳細設定画面９５には、詳細な設定項目が用意されているとともに、多様な設定機能を備えているので、ＰＣ−ファックス機能を充分に使いこなすことができる。
【００６９】
また、サーバ経由でＰＣ−ファックス機能を利用しているユーザは、シンプルモードを選択しておけばよい。アドバンスモードを選択していると、アプリケーションプログラム１０１を実行しているＰＣ２ではなく、サーバ上にファックス送信詳細設定画面９５が表示される場合があり、利便性が悪い。したがって、サーバ経由でのＰＣ−ファックス機能を利用しているユーザは、設定項目は簡易的となるがシンプルモードを選択しておくことで、デスク上のＰＣ２において操作を完結することができ、利便性がよい。
【００７０】
上記実施の形態においては、アドバンスモードにおいてＨＴＴＰを利用するようにしたが、他の形態であってもよい。ＨＴＴＰ以外のプロトコルにより、ファックス送信設定用のデータをデジタル複合機３から取得し、設定画面を生成するようにしてもよい。
【００７１】
また、上記実施の形態において、ファックス送信を実行する装置としてデジタル複合機を例に説明したが、本実施の形態のＰＣ２からの要求を受けてＰＣ−ファックス送信を実行する装置は、ネットワーク機能を備えたファックス装置であればよい。
【図面の簡単な説明】
【００７２】
【図１】実施の形態に係る通信端末を含むファックス通信システムの全体図である。
【図２】ＰＣ−ファックス機能の画面遷移図である。
【図３】ファックスドライバのプロパティ画面を示す図である。
【図４】ファックスドライバのプロパティ画面を示す図である。
【図５】シンプルモードにおいて表示されるファックス送信ダイアログを示す図である。
【図６】アドバンスモードにおいて表示されるファックス送信詳細設定画面を示す図である。
【符号の説明】
【００７３】
１    ＬＡＮ
２    ＰＣ
３    デジタル複合機
５    電話回線
６    インターネット
７    デジタル複合機
８    デジタル複合機
９３    （ファックスドライバ）プロパティ画面
９４    ファックス送信ダイアログ
９５    ファックス送信詳細設定画面
【図１】
2010087742.tif 000003
【図２】
2010087742.tif 000004
【図３】
2010087742.tif 000005
【図４】
2010087742.tif 000006
【図５】
2010087742.tif 000007
【図６】
2010087742.tif 000008